(57)【要約】【課題】  机部の収納空間で香炉に線香をあげながらりんを打ち鳴らすことができる墓を提供する。【解決手段】  石製の墓本体１と、該墓本体１の前に設けられ前側に開放する開口を有した物の収納空間６が形成されるとともに物を載置可能な石製の机部を備えた墓において、該机部を構成する右又は左の側面石３を箱状にし収納空間７を設けるとともに、該側面石３の収納空間７から上記机部の収納空間６に通じる穴８を設け、該穴８からりん打ち棒１０２の操作部１０６を上記机部の収納空間６に突出させる方式のりん打ち装置を上記側面石３の収納空間７に設置する。【選択図】図３
2019031886.tif 000002
【特許請求の範囲】
【請求項１】
石製の墓本体と、該墓本体の前に設けられ前側に開放する開口を有した物の収納空間が形成されるとともに物を載置可能な石製の机部を備えた墓において、該机部を構成する右又は左の側面石を箱状にし収納空間を設けるとともに、該側面石の収納空間から上記机部の収納空間に通じる穴を設け、該穴からりん打ち棒の操作部を上記机部の収納空間に突出させる方式のりん打ち装置を上記側面石の収納空間に設置したことを特徴とする墓。
【請求項２】
前記りん打ち装置を、両端のバランスをとる支点を備えた天秤棒の一方の端に、下に垂れ下がるようにりん打ち棒を固定し、その状態で天秤棒の水平のバランスをとり、もう一方の端である操作部を上下に揺動操作することによってりん打ち棒を揺動させ、りん本体を打ち鳴らす方式にしたことを特徴とする請求項１記載の墓。
【発明の詳細な説明】
【技術分野】
【０００１】  本発明は、石製の墓本体の前に設けられ香炉等の物を入れる収納空間が形成されるとともに供物等の物を載置可能な収納ボックス型の石製の机部を備えた墓に関するものである。
【背景技術】
【０００２】  従来、この種の墓としては、例えば特開平１１−１２５０３０号公報（特許文献１）に掲載されたものが知られている。これは図５及び図６に示すように、墓本体２００の前に石製の机部を備え、該机部は底板２０１、両側にある側面石２０２、笠板２０３、背面板２０４によって前側に開放する開口を有した収納空間を形成している。
【先行技術文献】
【特許文献】
【０００３】
【特許文献１】特開平１１−１２５０３０号公報
【発明の概要】
【０００４】  ところで、従来の発明の墓においては、前記机部の収納空間で香炉に線香をあげながらりんを打ち鳴らそうとしても、上記収納空間が狭く、りんやりん打ち棒などを置くスペースがなかった。
本発明は上記の問題点に鑑みて為されたもので、上記机部の収納空間で香炉に線香をあげながらりんを打ち鳴らすことができる墓を提供することを目的にしたものである。
【課題を解決するための手段】
【０００５】  このような目的を達成するために、本発明の墓は、石製の墓本体と、該墓本体の前に設けられ前側に開放する開口を有した物の収納空間が形成されるとともに物を載置可能な石製の机部を備えた墓において、該机部を構成する右又は左の側面石を箱状にし収納空間を設けるとともに、該側面石の収納空間から上記机部の収納空間に通じる穴を設け、該穴からりん打ち棒の操作部を上記机部の収納空間に突出させる方式のりん打ち装置を上記側面石の収納空間に設置した構成としている。【０００６】  これにより、上記机部の収納空間に直接りん打ち装置を置かなくても香炉に線香をあげながら上記机部の収納空間に突出したりん打ち装置の一部であるりん打ち棒の操作部を操作しりんを打ち鳴らすことができる。【０００７】  そして、必要に応じ、上記りん打ち装置を、両端のバランスをとる支点を備えた天秤棒の一方の端に、下に垂れ下がるようにりん打ち棒を固定し、その状態で天秤棒の水平のバランスをとり、もう一方の端である操作部を上下に揺動操作することによってりん打ち棒を揺動させ、りん本体を打ち鳴らす構成としている。【０００８】  これにより、上記机部の収納空間でのりん打ち棒の揺動操作が、天秤棒の操作部を手で軽く押し下げ、その手を離すだけなので簡単である。
【発明の効果】
【０００９】  本発明によれば、りん打ち装置が机部の収納空間とは別に、該机部を構成する側面石の箱状の収納空間に設置され、該側面石の収納空間から上記机部の収納空間に通じる穴からりん打ち装置の一部であるりん打ち棒の操作部のみが突出しているだけなので、机部の収納空間に設置された香炉に線香をあげながらりんを打ち鳴らすことができる。【００１０】  又、りん打ち装置の操作は、水平のバランスがとれた天秤棒の一方の端に固定されたりん打ち棒を、もう一方の端の操作部を手で軽く押し下げ、その手を離すだけで揺動させることができるので簡単である。
【図面の簡単な説明】
【００１１】
【図１】本発明の実施の形態に係る墓を示す斜視図である。
【図２】本発明の実施の形態に係る墓の机部の一部を分解した斜視図である。
【図３】本発明の実施の形態に係る墓の机部を構成する側面石の収納空間にりん打ち装置を設置した斜視図である。
【図４】本発明の実施の形態に係る墓のりん打ち装置の斜視図である。
【発明を実施するための形態】
【００１２】  以下、添付図面に基づいて本発明の形態に係る墓について詳細に説明する。
図１乃至図４に示すように、実施の形態に係る墓は、石製の墓本体１と該墓本体１の前面に机の底板２、机の側面石３、机の背板４、机の笠石５によって前側に開放する開口を有した物の収納空間６が形成されるとともに物を載置可能な石製の机部を備えている。尚、上記机部の背板４は墓本体１の台石１ａの前面で兼用することができる。
上記机部を構成する右又は左の側面石３は収納空間７が形成された箱状になって側面石３の収納空間７から机部の収納空間６に通じる穴８が設けられており、側面石３の収納空間に図４のりん打ち装置が設置されている。そして、該りん打ち装置の一部であるりん打ち棒１０２の操作部１０６だけが上記穴８を通って机部の収納空間６に突出しているので机部の収納空間６で香炉９に線香をあげながらりん打ち棒１０２の操作部１０６を操作しりん本体１０４を打ち鳴らすことができる。
【００１３】  又、上記りん打ち装置は、図４に示すように、両端のバランスをとる支点１０５を備えた天秤棒１０１の一方の端１０３に、下に垂れ下がるようにりん打ち棒１０２が固定され、もう一方の端であるりん打ち棒１０２の操作部１０６を上下に揺動操作することによってりん打ち棒１０２を揺動し、りん本体１０４を打ち鳴らす仕組みになっている。りん本体１０４を打ち鳴らす場合は操作部１０６を手で軽く押し下げ、その手を離すだけでよい。
【符号の説明】
【００１４】    １    墓本体
１ａ  墓本体の台石
２    机の底板
３    机の側面石
４    机の背板
５    机の笠板
６    机部の収納空間
７    側面石の収納空間
８    穴
９    香炉
１０１    天秤棒
１０２    りん打ち棒
１０３    天秤棒の一方の端
１０４    りん本体
１０５    天秤棒の支点
１０６    操作部
【図１】
2019031886.tif 000003
【図２】
2019031886.tif 000004
【図３】
2019031886.tif 000005
【図４】
2019031886.tif 000006
【図５】
2019031886.tif 000007
【図６】
2019031886.tif 000008
【手続補正書】
【提出日】平成29年9月12日(2017.9.12)
【手続補正１】
【補正対象書類名】明細書
【補正対象項目名】００１１
【補正方法】変更
【補正の内容】
【００１１】
【図１】本発明の実施の形態に係る墓を示す斜視図である。
【図２】本発明の実施の形態に係る墓の机部の一部を分解した斜視図である。
【図３】本発明の実施の形態に係る墓の机部を構成する側面石の収納空間にりん打ち装置を設置した斜視図である。
【図４】本発明の実施の形態に係る墓のりん打ち装置の斜視図である。
【図５】従来の墓の例を示す正面図である。
【図６】従来の墓の例を示す机部の斜視図である。
【手続補正２】
【補正対象書類名】図面
【補正対象項目名】図４
【補正方法】変更
【補正の内容】
【図４】
2019031886.tif 000009